(57)【特許請求の範囲】
【請求項１】
液体が導入されるノズルパイプ（９）と、
該ノズルパイプ（９）の複数箇所より水平かつ前記ノズルパイプ（９）に対し垂直に分岐されたパイプ接続口（１３）と、
該パイプ接続口（１３）に対し一端部が連絡される第１のパイプ（２３、２５）と、
該第１のパイプ（２３、２５）の一端部を前記パイプ接続口（１３）の端部に対し、回動調整後に固定可能な第１のパイプ回動固定手段（１５、２１、２３）と、
前記第１のパイプ（２３、２５）の他端部側に該第１のパイプ（２３、２５）に対し直角に配設される第１のノズル（３９、５３）と、
該第１のノズル（３９、５３）を前記第１のパイプ（２３、２５）の他端部に対し、回動調整後に固定可能な第１のノズル回動固定手段（３３、３７、４３）と、
前記第１のパイプ（２３、２５）の途中より該第１のパイプ（２３、２５）に対し直角に分岐された第２のパイプ（２７）と、
該第２のパイプ（２７）の端部側に該第２のパイプ（２７）に対し直角に配設される第２のノズル（４７、５３）と、
該第２のノズル（４７、５３）を前記第２のパイプ（２７）の端部に対し、回動調整後に固定可能な第２のノズル回動固定手段（３５、４５、５１）とを備えたことを特徴とするノズル構造。
【請求項２】
前記第１のノズル（５３）及び／又は前記第２のノズル（５３）には複数のノズル口が配設され、それぞれのノズル口からの放出及び全ノズル口からの放出停止が選択可能であることを特徴とする請求項１記載のノズル構造。
【請求項３】
前記ノズルパイプ（９）に分岐されるパイプ接続口（１３）はほぼ等ピッチずつ隔てて配設され、
前記第２のノズル（４７、５３）は該ピッチのほぼ中心に位置され、かつ前記第１のノズル（３９、５３）より所定距離隔てて位置するように配設されたことを特徴とする請求項１又は２記載のノズル構造。
【請求項４】
請求項１〜３に記載の前記ノズル構造が備えられた薬剤散布車であって、
前記ノズルパイプ（９）は機体の胴回り方向に一本又は複数本（９Ａ、９Ｂ、９Ｃ）で構成され、
前記パイプ接続口（１３）は前記機体の前方及び／又は後方に向けて配設され、前記第１のノズル（３９、５３）及び／又は前記第２のノズル（４７、５３）は前記機体に対し放射状に薬剤を噴霧可能なように配設されたことを特徴とする薬剤散布車。
【発明の詳細な説明】
【０００１】
【発明の属する技術分野】
本発明はノズル構造及び該ノズル構造が備えられた薬剤散布車に係わり、特にノズル個数の増加や、噴霧密度、噴霧バランスの調整が簡単に行えるノズル構造及び該ノズル構造が備えられた薬剤散布車に関する。
【０００２】
【従来の技術】
農業用薬剤散布車１０には、図６に示すように機体のタンク１後部に配設されたエンジン室３と、このエンジン室３内に搭載された図示しないエンジンにより駆動される送風機５の間に噴頭部７が形成されている。この噴頭部７には、ノズルパイプ９に接続された複数個のノズル１１が配設されている。
【０００３】
ノズルパイプ９は、エンジン室３内に搭載された図示しない薬液ポンプを介してタンク１と接続されている。そして、タンク１から吸入された薬液は、薬液ポンプにより圧送されてノズルパイプ９を経てノズル１１から噴霧される。
【０００４】
ノズルパイプ９は機体の後方より進行方向に見て上側に位置する上側ノズルパイプ９Ａ、右側に位置する右側ノズルパイプ９Ｂ、左側に位置する左側ノズルパイプ９Ｃが周状に配設され、これらの各ノズルパイプ９には、ノズル１１が等ピッチに配置されている。
【０００５】
このノズル１１からは、機体の胴回りに放射状に薬剤の噴霧がされる。そして、この噴霧された薬剤は送風機５からの風により搬送されて遠くに飛ばされる。
【０００６】
薬剤散布車１０のノズルパイプ９は、従来は噴頭部７の前寄りであるエンジン室３側か、若しくは後寄りである送風機５側のいずれかに配設されるか、あるいはその両側に配設されていた（実開平２−５３１３８号公報、実公平６−１４８０５号公報）。
【０００７】
【発明が解決しようとする課題】
ところで、従来のノズル構造では、ノズル１１の個数を変更したりする場合はとなりのノズル１１との霧の干渉を考慮しながら、ノズルパイプ９を付け替える必要がありコスト高の要因となっていた。
【０００８】
また、ノズル１１は、噴頭部７の略周方向にしか首を振る自由度が与えられず（ノズル吐き出し方向の調節が周方向しかできない）薬剤散布車１０の前後方向にはできなかった。
【０００９】
本発明はこのような従来の課題に鑑みてなされたもので、ノズル個数の増加や、噴霧密度、噴霧バランスの調整が簡単に行えるノズル構造及び該ノズル構造が備えられた薬剤散布車を提供することを目的とする。
【００１０】
【課題を解決するための手段】
このため本発明（請求項１）は、液体が導入されるノズルパイプ（９）と、該ノズルパイプ（９）の複数箇所より水平かつ前記ノズルパイプ（９）に対し垂直に分岐されたパイプ接続口（１３）と、該パイプ接続口（１３）に対し一端部が連絡される第１のパイプ（２３、２５）と、該第１のパイプ（２３、２５）の一端部を前記パイプ接続口（１３）の端部に対し、回動調整後に固定可能な第１のパイプ回動固定手段（１５、２１、２３）と、前記第１のパイプ（２３、２５）の他端部側に該第１のパイプ（２３、２５）に対し直角に配設される第１のノズル（３９、５３）と、該第１のノズル（３９、５３）を前記第１のパイプ（２３、２５）の他端部に対し、回動調整後に固定可能な第１のノズル回動固定手段（３３、３７、４３）と、前記第１のパイプ  （２３、２５）の途中より該第１のパイプ（２３、２５）に対し直角に分岐された第２のパイプ（２７）と、該第２のパイプ（２７）の端部側に該第２のパイプ（２７）に対し直角に配設される第２のノズル（４７、５３）と、該第２のノズル（４７、５３）を前記第２のパイプ（２７）の端部に対し、回動調整後に固定可能な第２のノズル回動固定手段（３５、４５、５１）とを備えて構成した。
【００１１】
ノズルパイプ（９）の複数箇所にはパイプ接続口（１３）が分岐されている。
第１のパイプ（２３、２５）は、第１のパイプ回動固定手段（１５、２１、２３）により、パイプ接続口（１３）の端部に対し回動調整可能である。
【００１２】
また、第１のノズル（３９、５３）は、第１のノズル回動固定手段（３３、３７、４３）により、第１のパイプ（２３、２５）の他端部に対し回動調整可能である。更に、第２のノズル（４７、５３）は、第２のノズル回動固定手段（３５、４５、５１）により、第２のパイプ（２７）の端部に対し回動調整可能である。
【００１３】
以上により、噴霧方向の変更は３６０度どのポイントに対しても霧が届くように自由に行える。
【００１４】
また、本発明（請求項２）は、前記第１のノズル（５３）及び／又は前記第２のノズル（５３）には複数のノズル口が配設され、それぞれのノズル口からの放出及び全ノズル口からの放出停止が選択可能であることを特徴とする。
【００１５】
このことにより、開口径等の選択や噴霧の停止が自在となる。このため、噴霧密度や噴霧範囲の変更に対し、更に一層の自由度が増す。不要なノズルは停止等すれば、部分的に噴霧密度を変えたりすることも容易に行える。
【００１６】
更に、本発明（請求項３）は、前記ノズルパイプ（９）に分岐されるパイプ接続口（１３）はほぼ等ピッチずつ隔てて配設され、前記第２のノズル（４７、５３）は該ピッチのほぼ中心に位置され、かつ前記第１のノズル（３９、５３）より所定距離隔てて位置するように配設されたことを特徴とする。
【００１７】
以上により、第１のノズル（３９、５３）と第２のノズル（４７、５３）とは千鳥足状に配設することが可能となる。このように千鳥足状に配設することで、隣のノズルとの間の霧の干渉が避けられる。第２のノズル（４７、５３）同士の間のノズルピッチを改めて調整する必要はないので簡単である。
【００１８】
更に、本発明（請求項４）は、請求項１〜３に記載の前記ノズル構造が備えられた薬剤散布車であって、前記ノズルパイプ（９）は機体の胴回り方向に一本又は複数本（９Ａ、９Ｂ、９Ｃ）で構成され、前記パイプ接続口（１３）は前記機体の前方及び／又は後方に向けて配設され、前記第１のノズル（３９、５３）及び／又は前記第２のノズル（４７、５３）は前記機体に対し放射状に薬剤を噴霧可能なように配設されたことを特徴とする。
【００１９】
第１のノズル（３９、５３）は第１のノズル回動固定手段（３３、３７、４３）により、噴頭周方向に向けた放射角度の調整が可能である。一方、第２のノズル（４７、５３）は第２のノズル回動固定手段（３５、４５、５１）により、機体の前後方向に向けた放射角度の調整が可能である。
【００２０】
以上により、薬剤の被散布対象に応じて薬剤散布車からの噴霧密度や噴霧バランスの調整が簡単に行える。このため、きめ細かな散布が可能である。
【００２１】
【発明の実施の形態】
以下、本発明の実施形態について説明する。本発明の実施形態の構成図を図１に示す。なお、図６と同一要素のものについては同一符号を付して説明は省略する。図１において、ノズルパイプ９にはパイプ接続口１３が等ピッチに複数個配置されている。そして、このパイプ接続口１３には雄ねじ１５が突設されている。
【００２２】
ノズルアダプタ２０は、パイプ２３、パイプ２５及びパイプ２７が連結部材２４により略Ｔ字型に連結されている。但し、パイプ２３とパイプ２５とは１本のパイプとして用いてもよい。
【００２３】
パイプ２３にはナット２１が貫通されており、パイプ２３の図示しない左端は管路が径方向外方に折り返されている。この折り返し部分にはパッキン３１が当接され、ナット２１は雄ねじ１５に螺合されるようになっている。
【００２４】
パイプ２５及びパイプ２７の端部には、それぞれ雄ねじ３３及び雄ねじ３５が刻設されている。ノズル支持パイプ３７の一端にはノズル３９が固定され、他端は管路が径方向外方に折り返されている。この折り返し部分にはパッキン４１が当接され、ナット４３は雄ねじ３３に螺合されるようになっている。
【００２５】
パイプ２７側も同様であり、ノズル支持パイプ４５の一端にはノズル４７が固定され、他端は管路が径方向外方に折り返されている。この折り返し部分にはパッキン４９が当接され、ナット５１は雄ねじ３５に螺合されるようになっている。
【００２６】
なお、ノズル３９及びノズル４７に代えて図２に示す双方向ノズル５３を取り付けることも可能である。双方向ノズル５３には、例えばそれぞれに開口径の異なるノズル開口部５５ａ、５５ｂが配設されている。ノズル支持パイプ５７はノズル開口部保持パイプ５９の内側に挿入されている。
【００２７】
そして、ノズル開口部保持パイプ５９はノズル支持パイプ５７回りに回動自在なようになっている。ノズル開口部保持パイプ５９の回動は、止めリング６１により停止されるようになっている。
【００２８】
ノズル支持パイプ５７の上部には１箇所のみ図示しない通孔が配設され、この通孔はノズル開口部５５ａ、５５ｂに対するようになっている。例えば図２の場合には、通孔が面するノズル開口部５５ａのみから噴霧可能なようになっている。
【００２９】
ノズル開口部５５ａとノズル開口部５５ｂの位置を反転させれば、ノズル開口部５５ｂのみから噴霧可能であり、更にノズル開口部５５ａ、５５ｂを図２の位置から９０度回転させた場合にはノズル開口部５５ａ、５５ｂ共に噴霧は停止されるようになっている。
【００３０】
ノズル支持パイプ５７の端部は管路が径方向外方に折り返されている。この折り返し部分にはパッキン４９又はパッキン４１が当接され、ナット６３は雄ねじ３５又は雄ねじ３３に螺合されるようになっている。
【００３１】
図３には、ノズルアダプタ２０に双方向ノズル５３が取り付けられた場合の噴頭部構造を示す。
【００３２】
次に、本発明の実施形態の作用を説明する。
かかる構成によれば、既存のノズルパイプ９を利用して簡単にノズル個数を増加することが出来る。この際には、既存のノズルパイプ９を使用し他に手を加える必要がないためコストを押さえられる。
【００３３】
図１において、ノズル３９はナット４３回りに回動自在のため、噴頭周方向に向けた放射角度の調整が可能である。一方、ノズル４７はナット５１回りに回動自在のため、機体の前後方向に向けた放射角度の調整が可能である。
【００３４】
このことにより、噴霧密度や噴霧バランスの調整が簡単に行える。棚作等で部分的に密度の濃い散布をしたい場合は、部分的にこのノズルアダプタ２０を使用して簡単にノズル個数を増やすことができる。
【００３５】
また、ナット２１を雄ねじ１５に螺合する際にはナット２１に対しパイプ２３が回動可能なため、パイプ２７の配設位置を図１の状態より１８０度反対とすることも出来る。この際には、ノズル４７の位置をナット５１回りに反転させ、かつノズル３９の位置をナット４３回りに反転すればよい。
【００３６】
この手法を利用して様々な噴霧調整が可能となる。例えば、図４に示すようにパイプ２７のすべてを左方に向けて揃えた状態では、ノズル３９Ｃ１とノズル３９Ａ４の間にノズル４７Ｃ１が配設され、ノズルパイプ９Ｃ側より給水されている。ノズル３９とノズル４７とは千鳥足状に配設される。
【００３７】
ノズル３９のノズルピッチは、隣接するノズル３９間で霧の干渉が生じないように予め決められている。従って、隣接するノズル３９同士の間に新たにノズルを追加することは困難である。
【００３８】
しかしながら、このように千鳥足状に配設することで、隣のノズルとの間（隣接するノズル３９とノズル４７）の霧の干渉が避けられる。隣接するノズル４７間もノズル３９のノズルピッチと同一ピッチになるので霧の干渉が生じるおそれはない。この際には、ノズル４７同士の間のノズルピッチを改めて調整する必要はないので簡単である。
【００３９】
一方、図５に示すように、ノズルパイプ９Ｃ左端のノズルアダプタ３０はＴ字型を止め、ストレート型とする。そして、ノズル４７Ｃ２〜４７Ｃ４は図４と同様に左方に向けて揃え、ノズル４７Ａ１〜４７Ａ４は右方に向けて揃える。
【００４０】
この際には、ノズル３９Ｃ１とノズル３９Ａ４の間の図４におけるノズル４７Ｃ１の位置に、ノズル４７Ｃ１に代えてノズル４７Ａ４が配設され、このノズル４７Ａ４にはノズルパイプ９Ａ側より給水されている。
【００４１】
このように、給水用のノズルパイプを簡単に変更出来ると共に、噴霧密度を変えずに噴霧範囲を変えることが出来る。
【００４２】
なお、ノズル３９やノズル４７に代えて双方向ノズル５３を用いれば、開口径の選択や噴霧の停止が自在となる。このため、噴霧密度や噴霧範囲の変更に対し、更に一層の自由度が増す。例えば、不要なノズルを停止等すれば、部分的に噴霧密度を変えたりすることも容易に行える。
【００４３】
なお、噴頭部構造を、かかるノズル３９群とノズル４７群の２段構成とする場合、送風機５からの風が各段単位に区分されて供給されるように図示しない導風板を配設するのが望ましい。このことにより、一層霧の干渉が生じるおそれは少なくなる。
【００４４】
本発明は噴頭部構造として説明したが、トンネル等の洗浄装置のノズル群のアタッチメント等としても適用可能である。
【００４５】
【発明の効果】
以上説明したように本発明のノズル構造によれば、第１のパイプ（２３、２５）、第１のノズル（３９、５３）、第２のノズル（４７、５３）を回動調整可能としたので、噴霧方向の変更は３６０度どのポイントに対しても霧が届くように自由に行える。
【００４６】
また、既存のノズルパイプを変更せずに必要なところに自由にノズル個数を増加できる。
【００４７】
更に、本ノズル構造を薬剤散布車に適用した場合には、噴頭周方向に向けた放射角度の調整や機体の前後方向に向けた放射角度の調整が可能となり、薬剤の被散布対象に応じて薬剤散布車からの噴霧密度や噴霧バランスの調整が簡単に行える。このため、きめ細かな散布が可能となり、防除効果を高めることができる。
【図面の簡単な説明】
【図１】  本発明の実施形態の構成図
【図２】  双方向ノズルの例
【図３】  ノズルアダプタに双方向ノズルが配設された場合の噴頭部構造
【図４】  ノズル配設の一例
【図５】  ノズル配設の別例（ノズルの一部を反転）
【図６】  農業用薬剤散布車に配設された噴頭部構造の例
【符号の説明】
７  噴頭部
９  ノズルパイプ
１３  パイプ接続口
２０  ノズルアダプタ
２１、４３、５１  ナット
２３、２５、２７  パイプ
２４  連結部材
３９、４７  ノズル
５３  双方向ノズル
【図１】
0003646863.tif 000002
【図２】
0003646863.tif 000003
【図３】
0003646863.tif 000004
【図４】
0003646863.tif 000005
【図５】
0003646863.tif 000006
【図６】
0003646863.tif 000007